(57)【要約】【課題】第三リン酸カルシウムを含有する潤滑剤組成物において、耐光性を発揮させることの容易な潤滑剤組成物を提供する。【解決手段】潤滑剤組成物には、鉱油及び合成油から選ばれる少なくとも一種の基油、及び第三リン酸カルシウムが含有されている。潤滑剤組成物には、さらにフェノール系化合物、ベンゾトリアゾール系化合物、ベンゾフェノン系化合物、及びヒンダードアミン系化合物から選ばれる少なくとも一種の有機化合物が含有されている。【選択図】なし【特許請求の範囲】
【請求項１】
鉱油及び合成油から選ばれる少なくとも一種の基油、及び第三リン酸カルシウムを含有する潤滑剤組成物において、フェノール系化合物、ベンゾトリアゾール系化合物、ベンゾフェノン系化合物、及びヒンダードアミン系化合物から選ばれる少なくとも一種の有機化合物を含有することを特徴とする潤滑剤組成物。
【請求項２】
前記基油が、合成油であり、前記有機化合物が、前記フェノール系化合物からなる第１の成分と、前記ベンゾトリアゾール系化合物、前記ベンゾフェノン系化合物、及び前記ヒンダードアミン系化合物から選ばれる少なくとも一種からなる第２の成分とを含むことを特徴とする請求項１に記載の潤滑剤組成物。
【請求項３】
前記フェノール系化合物が、３，５−ビス（１，１−ジメチル−エチル）−４−ヒドロキシ−ベンゼンプロピオン酸のＣ７〜Ｃ９分岐アルキルエステルであることを特徴とする請求項１又は請求項２に記載の潤滑剤組成物。
【請求項４】
前記有機化合物の含有量が０．１〜１０質量％であることを特徴とする請求項１から請求項３のいずれか一項に記載の潤滑剤組成物。
【発明の詳細な説明】
【技術分野】
【０００１】
本発明は、第三リン酸カルシウムを含有する潤滑剤組成物に関する。
【背景技術】
【０００２】
第三リン酸カルシウムを増ちょう剤として含有する潤滑剤組成物は、例えば耐熱性等に優れることが知られている（特許文献１参照）。
【特許文献１】特開平０５−０９３１９３号公報
【発明の開示】
【発明が解決しようとする課題】
【０００３】
ところで、第三リン酸カルシウムを増ちょう剤として含有する潤滑剤組成物は、耐熱性等に優れるといった利点があるものの、配合する添加剤の種類によっては、例えば太陽光が照射された際に変色し易いという問題がある。こうした変色は、仮に潤滑剤組成物としての潤滑性能は維持されていたとしても、外観上の品質を低下するものであり、加えて潤滑剤組成物が例えば摺動部位周辺の塗装面に付着した状態で放置されると、塗装面の変色を招くことにもなり得る。
【０００４】
本発明は、第三リン酸カルシウムを含有する潤滑剤組成物において、耐光性が発揮される構成を見出すことでなされたものである。本発明の目的は、第三リン酸カルシウムを含有する潤滑剤組成物において、耐光性を発揮させることの容易な潤滑剤組成物を提供することにある。
【課題を解決するための手段】
【０００５】
上記の目的を達成するために、請求項１に記載の発明の潤滑剤組成物は、鉱油及び合成油から選ばれる少なくとも一種の基油、及び第三リン酸カルシウムを含有する潤滑剤組成物において、フェノール系化合物、ベンゾトリアゾール系化合物、ベンゾフェノン系化合物、及びヒンダードアミン系化合物から選ばれる少なくとも一種の有機化合物を含有することを要旨とする。
【０００６】
請求項２に記載の発明は、請求項１に記載の潤滑剤組成物において、前記基油が、合成油であり、前記有機化合物が、前記フェノール系化合物からなる第１の成分と、前記ベンゾトリアゾール系化合物、前記ベンゾフェノン系化合物、及び前記ヒンダードアミン系化合物から選ばれる少なくとも一種からなる第２の成分とを含むことを要旨とする。
【０００７】
請求項３に記載の発明は、請求項１又は請求項２に記載の潤滑剤組成物において、前記フェノール系化合物が、３，５−ビス（１，１−ジメチル−エチル）−４−ヒドロキシ−ベンゼンプロピオン酸のＣ７〜Ｃ９分岐アルキルエステルであることを要旨とする。
【０００８】
請求項４に記載の発明は、請求項１から請求項３のいずれか一項に記載の潤滑剤組成物において、前記有機化合物の含有量が０．１〜１０質量％であることを要旨とする。
【発明の効果】
【０００９】
本発明によれば、第三リン酸カルシウムを増ちょう剤として含有させた場合において、耐光性を発揮させることの容易な潤滑剤組成物が提供される。
【発明を実施するための最良の形態】
【００１０】
以下、本発明の潤滑剤組成物を具体化した実施形態を詳細に説明する。本実施形態における潤滑剤組成物には、鉱油及び合成油から選ばれる少なくとも一種の基油と、増ちょう剤として第三リン酸カルシウムとが含有されている。この潤滑剤組成物には、耐光性を高めるために、フェノール系化合物、ベンゾトリアゾール系化合物、ベンゾフェノン系化合物、及びヒンダードアミン系化合物から選ばれる少なくとも一種の有機化合物が含有されている。
【００１１】
基油は、潤滑剤組成物に求められるちょう度等の物性に応じて、鉱油及び合成油から選ばれる少なくとも一種を適宜選択することができる。基油の動粘度は、例えば１００℃において２〜４０ｍｍ２／ｓの範囲であることが好ましい。
【００１２】
鉱油は、原油を常圧蒸留して得られる潤滑油留分をさらに精製して得られる。その精製手段としては、例えば溶剤精製、水素化精製、脱ろう、水素化分解等が挙げられる。鉱油としては、例えばパラフィン系鉱油、ナフテン系鉱油が挙げられる。具体的には、ＡＰＩ（American Petroleum Institute：米国石油協会）の規定する基油カテゴリーにおいてグループ１、グループ２及びグループ３に属する鉱油から選ばれる少なくとも一種を使用することができる。
【００１３】
合成油の具体例としては、ポリオレフィン油、合成エステル油、合成エーテル油、アルキルベンゼン油、アルキルナフタレン油、含フッ素化合物（パーフルオロポリエーテル、フッ素化ポリオレフィン等）、シリコーン油等が挙げられる。ポリオレフィン油としては、各種オレフィンの重合物、又は、その重合物の水素化物が挙げられる。ポリオレフィン油を構成するオレフィンとしては、エチレン、プロピレン、１−ブテン、及び炭素数５以上のα−オレフィンが挙げられる。
【００１４】
合成エステル油としては、例えばヒンダードエステル油（ポリオールエステル油）、二塩基酸のジエステル油、ポリオキシアルキレングリコールエステル油等が挙げられる。ヒンダードエステル油は、多価アルコールと脂肪酸とのエステルである。ヒンダードエステル油を形成する多価アルコールの具体例としては、ネオペンチルグリコール、トリメチロールプロパン、ペンタエリスリトール、ジペンタエリスリトール等が挙げられる。ヒンダードエステルを形成する脂肪酸の具体例としては、炭素数７〜１８の飽和又は不飽和脂肪酸、オレイン酸等が挙げられる。二塩基酸のジエステル油は、脂肪族二塩基酸と１価のアルコールとのエステルである。二塩基酸のジエステル油を形成する脂肪族二塩基酸の具体例としては、アジピン酸、アゼライン酸、セバシン酸、ドデカノ２酸、フタル酸、ダイマー酸等が挙げられる。二塩基酸のジエステル油を形成する１価のアルコールの具体例としては、オクチルアルコール、２−エチルヘキシルアルコール、イソノニルアルコール、イソデシルアルコール、トリデシルアルコール等が挙げられる。こうした二塩基酸のジエステル油の具体例としては、ジオクチルセバケート（ＤＯＳ）、ジオクチルアゼレート（ＤＯＺ）、ジオクチルアジペート（ＤＯＡ）等が挙げられる。ポリオキシアルキレングリコールエステルの具体例としては、ポリオキシエチレンソルビタン脂肪酸エステル、ポリオキシエチレングリセリン脂肪酸エステル等が挙げられる。
【００１５】
合成エーテル油としては、例えばポリオキシアルキレングリコールエーテル油、ポリフェニルエーテル油、ジアルキルジフェニルエーテル油等が挙げられる。
上記鉱油及び合成油の中でも、耐光性をさらに高めることができるという観点から、基油にはポリオレフィン油が含まれることが好ましく、ポリαオレフィン油が含まれることがより好ましい。
【００１６】
潤滑剤組成物中における上記基油の含有量は、好ましくは３０質量％以上、より好ましくは４０質量％以上である。
第三リン酸カルシウムとしては、Ｃａ３（ＰＯ４）２を使用することができる。また、〔Ｃａ３（ＰＯ４）２〕３・Ｃａ（ＯＨ）２で表されるヒドロキシアパタイトの化学構造を有している化合物が好適に使用される。
【００１７】
潤滑剤組成物における第三リン酸カルシウムの含有量は、潤滑剤組成物の用途に適したちょう度となるように適宜調整することができる。潤滑剤組成物中における第三リン酸カルシウムの含有量は、好ましくは２〜６８質量％、より好ましくは５〜６０質量％、さらに好ましくは８〜５５質量％である。潤滑剤組成物中における第三リン酸カルシウムの含有量が２〜６８質量％である場合、ちょう度を調整することが容易となる。
【００１８】
次に、潤滑剤組成物に含有される有機化合物について説明する。
フェノール系化合物としては、例えば３，５−ビス（１，１−ジメチル−エチル）−４−ヒドロキシ−ベンゼンプロピオン酸のＣ７〜Ｃ９分岐アルキルエステル、２−ｔ−ブチルフェノール、２−ｔ−ブチル−４−メチルフェノール、２−ｔ−ブチル−５−メチルフェノール、２，４−ジ−ｔ−ブチルフェノール、２，４−ジメチル−６−ｔ−ブチルフェノール、２−ｔ−ブチル−４−メトキシフェノール、３−ｔ−ブチル−４−メトキシフェノール、２，５−ジ−ｔ−ブチルヒドロキノン、２，６−ジ−ｔ−ブチル−４−アルキルフェノール、２，６−ジ−ｔ−ブチル−４−アルコキシフェノール、３，５−ジ−ｔ−ブチル−４−ヒドロキシベンジルメルカプトオクチルアセテート、アルキル−３−（３，５−ジ−ｔ−ブチル−４−ヒドロキシフェニル）プロピオネート、２，６−ジ−ｔ−ブチル−α−ジメチルアミノ−ｐ−クレゾール、２，２´−メチレンビス（４−アルキル−６−ｔ−ブチルフェノール）、ビスフェノール、ポリフェノール、ｐ−ｔ−ブチルフェノール−ホルムアルデヒド縮合物及びｐ−ｔ−ブチルフェノール−アセトアルデヒド縮合物が挙げられる。
【００１９】
２，６−ジ−ｔ−ブチル−４−アルキルフェノールとしては、例えば２，６−ジ−ｔ−ブチルフェノール、２，６−ジ−ｔ−ブチル−４−メチルフェノール及び２，６−ジ−ｔ−ブチル−４−エチルフェノール等が挙げられる。
【００２０】
２，６−ジ−ｔ−ブチル−４−アルコキシフェノールとしては、例えば２，６−ジ−ｔ−ブチル−４−メトキシフェノール及び２，６−ジ−ｔ−ブチル−４−エトキシフェノールが挙げられる。
【００２１】
アルキル−３−（３，５−ジ−ｔ−ブチル−４−ヒドロキシフェニル）プロピオネートとしては、例えばｎ−オクタデシル−３−（３，５−ジ−ｔ−ブチル−４−ヒドロキシフェニル）プロピオネート、ｎ−ブチル−３−（３，５−ジ−ｔ−ブチル−４−ヒドロキシフェニル）プロピオネート及び２´−エチルヘキシル−３−（３，５−ジ−ｔ−ブチル−４−ヒドロキシフェニル）プロピオネートが挙げられる。
【００２２】
２，２´−メチレンビス（４−アルキル−６−ｔ−ブチルフェノール）としては、例えば２，２´−メチレンビス（４−メチル−６−ｔ−ブチルフェノール）及び２，２´−メチレンビス（４−エチル−６−ｔ−ブチルフェノール）が挙げられる。
【００２３】
ビスフェノールとしては、例えば４，４´−ブチリデンビス（３−メチル−６−ｔ−ブチルフェノール）、４，４´−メチレンビス（２，６−ジ−ｔ−ブチルフェノール）、４，４´−ビス（２，６−ジ−ｔ−ブチルフェノール）、２，２−（ジ−ｐ−ヒドロキシフェニル）プロパン、２，２−ビス（３，５−ジ−ｔ−ブチル−４−ヒドロキシフェニル）プロパン、４，４´−シクロヘキシリデンビス（２，６−ｔ−ブチルフェノール）、ヘキサメチレングリコール−ビス［３−（３，５−ジ−ｔ−ブチル−４−ヒドロキシフェニル）プロピオネート］、トリエチレングリコールビス［３−（３−ｔ−ブチル−４−ヒドロキシ−５−メチルフェニル）プロピオネート］、２，２´−チオ−［ジエチル−３−（３，５−ジ−ｔ−ブチル−４−ヒドロキシフェニル）プロピオネート］、３，９−ビス｛１，１−ジメチル−２−［３−（３−ｔ−ブチル−４−ヒドロキシ−５−メチルフェニル）プロピオニルオキシ］エチル｝２，４，８，１０−テトラオキサスピロ［５，５］ウンデカン、４，４´−チオビス（３−メチル−６−ｔ−ブチルフェノール）及び２，２´−チオビス（４，６−ジ−ｔ−ブチルレゾルシノール）が挙げられる。
【００２４】
ポリフェノールとしては、例えばテトラキス［メチレン−３−（３，５−ジ−ｔ−ブチル−４−ヒドロキシフェニル）プロピオネート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、ビス−［３，３´−ビス（４´−ヒドロキシ−３´−ｔ−ブチルフェニル）酪酸］グリコールエステル、２−（３´，５´−ジ−ｔ−ブチル−４−ヒドロキシフェニル）メチル−４−（２″，４″−ジ−ｔ−ブチル−３″−ヒドロキシフェニル）メチル−６−ｔ−ブチルフェノール及び２，６−ビス（２´−ヒドロキシ−３´−ｔ−ブチル−５´−メチルベンジル）−４−メチルフェノールが挙げられる。
【００２５】
フェノール系化合物は、単独で含有させてもよいし、複数種を組み合わせて含有させてもよい。フェノール系化合物の中でも、３，５−ビス（１，１−ジメチル−エチル）−４−ヒドロキシ−ベンゼンプロピオン酸のＣ７〜Ｃ９分岐アルキルエステルが好ましい。
【００２６】
ベンゾトリアゾール系化合物としては、２−（２´−ヒドロキシ−５´−メチルフェニル）ベンゾトリアゾール、２−（２´−ヒドロキシ−３´，５´−ジ−ｔｅｒｔ−ブチルフェニル）ベンゾトリアゾール、２−（２´−ヒドロキシ−３´，５´−ジ−ｔｅｒｔ−ブチルフェニル）ベンゾトリアゾール、２−（２´−ヒドロキシ−３´，５´−ジ−ｔｅｒｔ−ブチル−５´−メチルフェニル）−５−クロロベンゾトリアゾール、２−（２´−ヒドロキシ−３´，５´−ジ−ｔｅｒｔ−ブチル−５´−ブチルフェニル）−５−クロロベンゾトリアゾール、２−（２´−ヒドロキシ−３´，５´−ジ−ｔｅｒｔ−ブチル−５´−アミルフェニル）ベンゾトリアゾール、２−［２´−ヒドロキシ−３´−（３″，４″，５″，６″−テトラヒドロフタルイミドメチル）−５´−メチルフェニル］ベンゾトリアゾール、３−（５−クロロ−２Ｈ−ベンゾトリアゾール−２−イル）−５−（１，１−ジメチルエチル）−４−ヒドロキシ−ベンゼンプロパノール、３−（２Ｈ−ベンゾトリアゾール−２−イル）−４−ヒドロキシ−ベンゼンエタノール、３−（５−メチル−２Ｈ−ベンゾトリアゾール−２−イル）−５−（１−メチルエチル）−４−ヒドロキシ−ベンゼンプロパノール、及び１，１−ビス−［２−ヒドロキシ−３−（２Ｈ−ベンゾトリアゾール−２−イル）−５−（２−ヒドロキシエチル）−フェニル］メタンが挙げられる。
【００２７】
ベンゾトリアゾール系化合物は、単独で含有させてもよいし、複数種を組み合わせて含有させてもよい。
ベンゾフェノン系化合物としては、例えば２，４−ジヒドロキシベンゾフェノン、２−ヒドロキシ−４−メトキシベンゾフェノン、２，２´−ジヒドロキシ−４，４´−ジメトキシベンゾフェノン、２−ヒドロキシ−４−ｎ−オクチルオキシベンゾフェノン、ビス（５−ベンゾイル−４−ヒドロキシ−２−メトキシフェニル）メタン及び１，４−ビス（４−ベンゾイル−３−ヒドロキシフェノン）−ブタンが挙げられる。
【００２８】
ベンゾトリアゾール系化合物は、単独で含有させてもよいし、複数種を組み合わせて含有させてもよい。
ヒンダードアミン系化合物としては、例えば３−ドデシル−１−（２，２，６，６−テトラメチル−４−ピペリジニル）ピロリジン−２，５−ジオン、Ｎ−メチル−３−ドデシル−１−（２，２，６，６−テトラメチル−４−ピペリジニル）ピロリジン−２，５−ジオン、Ｎ−アセチル−３−ドデシル−１−（２，２，６，６−テトラメチル−４−ピペリジニル）ピロリジン−２，５−ジオン、セバシン酸ビス（２，２，６，６−テトラメチル−４−ピペリジル）、セバシン酸ビス（１，２，２，６，６−ペンタメチル−４−ピペリジル）、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、１，２，３，４−ブタンテトラカルボン酸と２，２，６，６−テトラメチル−ピペリジノールとトリデカノールとの縮合物、１，２，３，４−ブタンテトラカルボン酸と１，２，２，６，６−ペンタメチル−４−ピペリジノールとトリデカノールとの縮合物、８−アセチル−３−ドデシル−７，７，９，９−テトラメチル−１，３，８−トリアザスピロ［４，５］デカン−２，４−ジオン、１，２，３，４−ブタンテトラカルボン酸と１，２，２，６，６−ペンタメチル−４−ピペリジノールとβ，β，β´，β´−テトラメチル−３，９−（２，４，８，１０−テトラオキサスピロ［５，５］ウンデカン）ジエタノールとの縮合物、及び１，２，３，４−ブタンテトラカルボン酸と２，２，６，６−ペンタメチル−４−ピペリジノールとβ，β，β´，β´−テトラメチル−３，９−（２，４，８，１０−テトラオキサスピロ［５，５］ウンデカン）ジエタノールとの縮合物が挙げられる。
【００２９】
ヒンダードアミン系化合物は、単独で含有させてもよいし、複数種を組み合わせて含有させてもよい。
潤滑剤組成物には、フェノール系化合物からなる第１の成分と、ベンゾトリアゾール系化合物、ベンゾフェノン系化合物、及びヒンダードアミン系化合物から選ばれる少なくとも一種からなる第２の成分とが含まれることが好ましい。第１の成分であるフェノール系化合物は、上記基油としての合成油、及び増ちょう剤としての第三リン酸カルシウムを含有する潤滑剤組成物に含有されることで、同潤滑剤組成物の酸化を抑制する。こうした潤滑剤組成物に第２の成分を含有させることで、同潤滑剤組成物の耐光性をより高めることができる。
【００３０】
潤滑剤組成物中における有機化合物の含有量は、潤滑剤組成物全体を１００質量％としたとき、好ましくは０．１〜１０質量％、より好ましくは１〜１０質量％である。潤滑剤組成物中における有機化合物の含有量が０．１〜１０質量％の場合、優れた耐光性を発揮させることが容易であり、かつ耐光性以外の物性に対して有機化合物が影響することを極力抑制することができる。
【００３１】
潤滑剤組成物には、その耐水性を高めるという観点から界面活性剤を含有させることが好ましい。潤滑剤組成物の耐水性は、界面活性剤の有する親水基が水を吸着する作用により高められる。界面活性剤は、アニオン性界面活性剤、カチオン性界面活性剤、両性界面活性剤、及び非イオン性界面活性剤に分類される。界面活性剤は、単独で含有させてもよいし、複数種を組み合わせて含有させてもよい。
【００３２】
界面活性剤の中でも、好ましくは非イオン性界面活性剤、より好ましくは脂肪酸エステル系界面活性剤である。脂肪酸エステル系界面活性剤は、上記有機化合物の含有による作用効果を阻害し難い傾向にある。
【００３３】
脂肪酸エステル系界面活性剤としては、上記基油及び第三リン酸カルシウムに対する親和性が得られ易いという観点から、好ましくはグリセリン脂肪酸エステル、ソルビタン脂肪酸エステル及びショ糖脂肪酸エステルから選ばれる少なくとも一種、より好ましくはソルビタン脂肪酸エステルである。
【００３４】
脂肪酸エステル系界面活性剤の脂肪酸としては、炭素数が１２〜２２の飽和脂肪酸又は同じく炭素数が１２〜２２の不飽和脂肪酸が好ましい。
グリセリン脂肪酸エステルとしては、例えばステアリン酸モノグリセライド、オレイン酸モノグリセライド、ステアリン酸及びオレイン酸のモノ・ジグリセライド等が挙げられる。ソルビタン脂肪酸エステルとしては、例えばソルビタンモノラウレート、ソルビタンモノパルミテート、ソルビタンモノステアレート、ソレビタンモノオレエート、ソルビタントリステアレート、ソルビタントリオレエート等が挙げられる。ショ糖脂肪酸エステルとしては、例えばショ糖パルミチン酸エステル、ショ糖ステアリン酸エステル等が挙げられる。
【００３５】
潤滑剤組成物中における界面活性剤の含有量は、好ましくは０．２〜１８質量％、より好ましくは１〜１５質量％、さらに好ましくは２〜１０質量％である。潤滑剤組成物中における界面活性剤の含有量が１８質量％未満の場合、ちょう度の調整が容易となるとともに経済的に有利である。また、潤滑剤組成物中における界面活性剤の含有量は、上記第三リン酸カルシウム１００質量部に対して好ましくは１〜４０質量部、より好ましくは２〜３０質量部、さらに好ましくは５〜２０質量部である。潤滑剤組成物中における界面活性剤の含有量が第三リン酸カルシウム１００質量部に対して１〜４０質量部の場合、ちょう度の調整が容易であり、かつ、経済的に有利である。
【００３６】
潤滑剤組成物には、必要に応じて防錆剤、極圧剤、耐摩耗剤、固体潤滑剤、抗菌剤、上記有機化合物以外の添加剤等を本実施形態の作用効果を阻害しない範囲で含有させることができる。
【００３７】
なお、潤滑剤組成物中には、同組成物の耐光性を維持するという観点から、ヒンダードアミン系化合物以外の有機アミン系化合物を含有させないことが好ましい。有機アミン系化合物としては、例えばナフチルアミン系化合物、フェニレンジアミン系化合物、ジフェニルアミン系化合物及びフェノチアジン系化合物が挙げられる。
【００３８】
潤滑剤組成物は、上記基油、第三リン酸カルシウム、及び有機化合物を常法にしたがって混合することにより調製することができる。潤滑剤組成物を調製する際には、適宜加熱してもよい。また、潤滑剤組成物を調製する際には、第三リン酸カルシウムを効率的に分散させるという観点から、例えばロールミル等を用いて混捏することが好適である。このように構成された潤滑剤組成物は半固体状をなし、例えば軸受等の摺動部位を有する各種機械に使用される。
【００３９】
ここで、潤滑剤組成物は、例えば太陽光が照射された際に褐変することがある。こうした褐変は、仮に潤滑剤組成物としての潤滑性能は維持されていたとしても、外観上の品質を低下するものであり、加えて潤滑剤組成物が例えば摺動部位周辺の塗装面に付着した状態で放置されると、その塗装面の変色を招くことにもなり得る。このような褐変及びそれに基づく不具合は、各種添加剤の影響を受け易い。特に、第三リン酸カルシウムを含有する潤滑剤組成物においては、各種添加剤の影響を受け易いおそれがある。この点、本実施形態の潤滑剤組成物は、上記有機化合物を含有している。このため、上記基油及び第三リン酸カルシウムを含有する潤滑剤組成物の耐光性を発揮させることができるようになる。
【００４０】
本実施形態の潤滑剤組成物は、上記構成により耐光性が発揮させるため、特に屋外において設置又は使用される各種機械の潤滑剤として好適に使用することができる。屋外用途としては、例えば自動車、土木建設機械、チェンソー、屋外風車、太陽電池の可動部位、船外機、農業機械（トラクター、田植機、耕うん機、コンバイン等）、鉄道分野（分岐器、鉄道車両の可動部等）等が挙げられる。なお、本実施形態の潤滑剤組成物は屋外の使用に限らず、屋内であっても、例えば紫外線殺菌装置、半導体製造設備等の潤滑剤として好適に使用することができる。
【００４１】
本実施形態によって発揮される効果について、以下に記載する。
（１）本実施形態の潤滑剤組成物には、フェノール系化合物、ベンゾトリアゾール系化合物、ベンゾフェノン系化合物、及びヒンダードアミン系化合物から選ばれる少なくとも一種の有機化合物が含有されている。この構成によれば、耐光性を発揮させることができる。従って、本実施形態の潤滑剤組成物では、例えば太陽光の照射に伴って同組成物が褐変するという不具合が抑制されるため、同組成物の外観上の品質が維持されるようになる。また、潤滑剤組成物が例えば摺動部位周辺の塗装面に付着した状態で放置された場合であっても、組成物の褐変に基づいて塗装面が変色するという不具合を抑制することができる。
【００４２】
（２）潤滑剤組成物の酸化が進行した場合、例えばちょう度等の物性が変化するおそれがある。この点、第１の成分であるフェノール系化合物が、基油としての合成油、及び増ちょう剤としての第三リン酸カルシウムを含有する潤滑剤組成物に含有されることで、同潤滑剤組成物の酸化が抑制される。従って、潤滑剤組成物の酸化に基づいて生じる不具合を抑制することができる。さらに、こうした潤滑剤組成物に第２の成分を含有させることで、同潤滑剤組成物の耐光性をさらに高めることができる。
【００４３】
（３）潤滑剤組成物には、フェノール系化合物として、３，５−ビス（１，１−ジメチル−エチル）−４−ヒドロキシ−ベンゼンプロピオン酸のＣ７〜Ｃ９分岐アルキルエステルが含有されることが好ましい。この場合、潤滑剤組成物の酸化を抑制し、かつ、耐光性を発揮させることができるようになる。
【００４４】
（４）潤滑剤組成物における有機化合物の含有量は、０．１〜１０質量％であることが好ましい。このように構成した場合、優れた耐光性を得ることが容易であり、かつ耐光性以外の物性に対して有機化合物が影響することを極力抑制することができる。
【００４５】
上記実施形態から把握できる技術的思想について以下に記載する。
・前記ヒンダードアミン系化合物以外の有機アミン系化合物を含有しない潤滑剤組成物。
【００４６】
・前記有機アミン系化合物が、ナフチルアミン系化合物、フェニレンジアミン系化合物、ジフェニルアミン系化合物及びフェノチアジン系化合物から選ばれる少なくとも一種の化合物である潤滑剤組成物。
【実施例】
【００４７】
次に、実施例及び比較例を挙げて前記実施形態をさらに具体的に説明する。
（実施例１〜４）
基油、第三リン酸カルシウム、有機化合物等を試作釜に投入し、同試作釜にて１００℃まで加熱するとともに撹拌した後、三本ロールミルにて混捏することで、潤滑剤組成物を調製した。表１には、潤滑剤組成物に含まれる各成分の含有量を質量％で示している。表１に示される各成分の詳細は以下のとおりである。
【００４８】
鉱油は、パラフィン系鉱油の溶剤精製基油であり、その性状は次のとおりである。４０℃における動粘度は４７２．６ｍｍ２／ｓであり、１００℃における動粘度は３１．２４ｍｍ２／ｓであり、粘度指数は９６であり、流動点は−１５℃である。
【００４９】
第三リン酸カルシウムは、〔Ｃａ３（ＰＯ４）２〕３・Ｃａ（ＯＨ）２で表されるヒドロキシアパタイトの化学構造を有するものである。
フェノール系化合物は、ヒンダードフェノール化合物３，５−ビス（１，１−ジメチル−エチル）−４−ヒドロキシ−ベンゼンプロピオン酸のＣ７〜Ｃ９分岐アルキルエステル（チバ・スペシャルティ・ケミカルズ社製、商品名：イルガノックスＬ１３５）である。
【００５０】
ベンゾトリアゾール系化合物は、２−（２´−ヒドロキシ−５´−メチルフェニル）ベンゾトリアゾール（株式会社ＡＤＥＫＡ製、商品名：アデカスタブＬＡ−３２）である。
ベンゾフェノン系化合物は、２−ヒドロキシ−４−ｎ−オクチルオキシベンゾフェノン（株式会社ＡＤＥＫＡ製、商品名：アデカスタブ１４１３）である。
【００５１】
ヒンダードアミン系化合物は、テトラキス（１，２，２，６，６−ペンタメチル−４−ピペリジル）１，２，３，４−ブタンテトラカルボキシレート（株式会社ＡＤＥＫＡ製、商品名：アデカスタブＬＡ−５２）である。
【００５２】
界面活性剤は、ソルビタントリオレエートである。
（比較例１及び２）
比較例１及び２においては、表１に示される組成に変更した以外は、各実施例と同様にして潤滑剤組成物を調製した。
【００５３】
（実施例５〜７）
実施例５〜７においては、表２に示される組成に変更した以外は、実施例１〜４と同様にして潤滑剤組成物を調製した。表２には、潤滑剤組成物に含まれる各成分の含有量を質量％で示している。なお、表２中の合成油は、ポリαオレフィン油（ＰＡＯ４０）であり、その性状は次の通りである。４０℃における動粘度は４００ｍｍ２／ｓであり、１００℃における動粘度は４００ｍｍ２／ｓであり、粘度指数は１５２であり、流動点は−３９℃である。
【００５４】
表２に示される有機化合物及び界面活性剤の詳細は、実施例１〜４に記載したものと同じである。
＜組成物及び塗装面の変色試験＞
鋼板にアクリル焼付き塗装を施した塗装板を準備した。その塗装板の塗装面上に各例の潤滑剤組成物を直径約８ｍｍ、厚さ２ｍｍの円板状をなすように載置した。塗装面上の組成物に対して人工太陽照明灯（セリック社製、形式：ＳＸＬ−５００４Ｖ４Ｓ形）を用いて人工太陽光を７日間照射した。なお、自然太陽光の照度は、１日の平均において約３０，０００ルクスである。上記人工太陽照明灯から照射される人工太陽光の照度は３０，０００ルクスを超えるとともに、同人工太陽光の分光分布は、自然太陽光の分光分布に極めて近いものである。
【００５５】
このようにして人工太陽光を照射した後に、組成物の変色度合いについて、以下の評価基準に従って４段階で評価した。
（評価基準）
変色はほとんど確認されない：評価“３”
僅かに変色が認められる：評価“２”
変色が認められる：評価“１”
強い変色（黒変）が認められる：評価“０”
次に、上記変色試験を行った組成物を脱脂綿で完全に拭き取って除去した後、塗装面の変色度合いについて上記評価基準に従って４段階で評価した。
【００５６】
各例の組成物及び塗装面の評価結果を各表に併記する。
【００５７】
【表１】
2010024383.tif 000002
【００５８】
【表２】
2010024383.tif 000003
表１及び表２の結果から明らかなように、各実施例では組成物及び塗装面のいずれについても、変色試験の結果は“２”又は“３”である。これに対して、比較例１及び２では、各実施例と同様に第三リン酸カルシウムを増ちょう剤として含有する潤滑剤組成物であるものの、組成物の変色試験の結果は“０”であった。こうした結果から、各実施例の潤滑剤組成物では耐光性が発揮されることがわかる。
【００５９】
また、実施例５〜７においては、フェノール系化合物からなる第１の成分と、ベンゾトリアゾール系化合物、ベンゾフェノン系化合物、及びヒンダードアミン系化合物から選ばれる少なくとも一種からなる第２の成分とを含んでいる。これら実施例５〜７の潤滑剤組成物は、塗装面の変色を抑制する作用効果に優れることがわかる。
【手続補正書】
【提出日】平成20年9月1日(2008.9.1)
【手続補正１】
【補正対象書類名】明細書
【補正対象項目名】００５３
【補正方法】変更
【補正の内容】
【００５３】
（実施例５〜７）
実施例５〜７においては、表２に示される組成に変更した以外は、実施例１〜４と同様にして潤滑剤組成物を調製した。表２には、潤滑剤組成物に含まれる各成分の含有量を質量％で示している。なお、表２中の合成油は、ポリαオレフィン油（ＰＡＯ４０）であり、その性状は次の通りである。４０℃における動粘度は４００ｍｍ２／ｓであり、１００℃における動粘度は４０ｍｍ２／ｓであり、粘度指数は１５２であり、流動点は−３９℃である。